(57)【要約】      （修正有）【課題】構造が簡単で、使用が便利である犬の糞便処理キャッチャーを提供する。【解決手段】伸縮棒体１−１、上圧リング１−２、プラスチック本体１−３、糞便袋１−４、上圧リング結合フック１−５、懐中電灯１−６、懐中電灯クリップ１−７、棒体結合螺合部品１−８により組成する。該伸縮棒体１−１は使用者の高さに応じて自由に長さを伸縮させることができるアルミニウム合金製品で、その前端には棒体結合螺合部品１−８を設置し、該プラスチック本体１−３と該伸縮棒体１−１を螺合するために用いる。該プラスチック本体１−３は糞便キャッチの便のため、地面と４５度の角度を成すように設計され、しかもその前端には上圧リング結合フック１−５を設置し、該上圧リング１−２と該プラスチック本体１−３を結合する。結合後、該上圧リング１−２は該上圧リング結合フック１−５を軸とし、該プラスチック本体１−３において上方へと開き、下方へと閉じる機能を達成することができる。【選択図】図２
0003144110.tif 000002
【実用新案登録請求の範囲】
【請求項１】
犬糞便処理器は、
前端にプラスチック本体を螺合する伸縮棒体と、
該プラスチック本体上に嵌合し、上方へと開くことができるクリップ体である上圧リングと、
該プラスチック本体の円周上において折り返し、該上圧リングにより押さえられ受け取り体となる糞便袋と、
懐中電灯クリップにより該伸縮棒上において固定される懐中電灯とを含むことを特徴とする犬の糞便処理キャッチャー。
【請求項２】
前記伸縮棒体の長は使用者の高度に応じて自由に調整可能であることを特徴とする請求項１に記載の犬の糞便処理キャッチャー。
【請求項３】
前記糞便袋の材質は分解可能プラスチック袋、一般プラスチック袋或いは紙袋であることを特徴とする請求項１に記載の犬の糞便処理キャッチャー。
【請求項４】
前記伸縮棒体上の懐中電灯は照明、警告表示の機能を備えることを特徴とする請求項１に記載の犬の糞便処理キャッチャー。
【請求項５】
前記プラスチック本体は地面と45度の湾度を成すように設計されることを特徴とする請求項１に記載の犬の糞便処理キャッチャー。
【考案の詳細な説明】
【技術分野】
【０００１】
本考案は犬の糞便処理キャッチャーに関し、特にゴミのポイ捨てをしないとのコンセプトの延長において、犬の散歩時に犬の糞便を地面に残さず、キャッチし処理し、環境保護理念を実現することができる犬の糞便処理キャッチャーに関する。
【背景技術】
【０００２】
現在、市場において類似製品の販売がないため、背景技術を記載することができない。
【考案の開示】
【考案が解決しようとする課題】
【０００３】
本考案が解決しようとする課題は、犬の散歩時に本考案を携帯すれば、犬の大便に合わせて本考案を使用し犬糞便をキャッチすることができ、これにより犬の糞便は地面に落ちず、持ち帰って処理することができるため、環境を汚すことがなくなり、また構造が簡単で、使用が便利である犬の糞便処理キャッチャーを提供することである。
【課題を解決するための手段】
【０００４】
上記課題を解決するため、本考案は下記の犬の糞便処理キャッチャーを提供する。
犬をペットとして飼うことは、最近の流行である。しかし犬が外で気ままに大小便をし、犬の糞があちらこちらに見られれば、その環境及び衛生に対する汚染は人の忌避するところとなる。特に夏季は犬の糞便に蚊やハエが群がり、環境及び衛生に対して極めて大きな影響を及ぼす。犬の飼い主に環境及び衛生に対する気遣いがあれば、犬の散歩時に、犬の糞ピックアップ器、廃紙、プラスチック袋等を携帯し、犬の糞便を拾い上げるが、やはりいくらかは地面に残ってしまい、環境を汚染してしまう。
本考案は、犬を飼う時の糞便処理の不便により環境汚染を引き起こしてしまうという問題に対して、犬糞便処理器を提供し解決する。
【考案の効果】
【０００５】
上記のように、本考案はゴミのポイ捨てをしないとのコンセプトの延長において、犬の散歩時に犬の糞便を地面に残さず、キャッチし処理し、環境保護理念を実現することができる。
【考案を実施するための最良の形態】
【０００６】
図２は本考案の分解図である。図２に示すように、本考案は伸縮棒体1-1、上圧リング1-2、プラスチック本体1-3、糞便袋1-4、上圧リング結合フック1-5、懐中電灯1-6、懐中電灯クリップ1-7、棒体結合螺合部品1-8により組成する。
該伸縮棒体1-1は使用者の高さに応じて自由に長さを伸縮させることができるアルミニウム合金製品で、その前端には棒体結合螺合部品1-8を設置し、該プラスチック本体1-3と該伸縮棒体1-1を螺合するために用いる。
該プラスチック本体1-3は糞便キャッチの便のため、地面と45度の湾度を成すように設計され、しかもその前端には上圧リング結合フック1-5を設置し、該上圧リング1-2と該プラスチック本体1-3を結合する。結合後、該上圧リング1-2は該上圧リング結合フック1-5を軸とし、該プラスチック本体1-3において上方へと開き、下方へと閉じる機能を達成することができる。
該上圧リング1-2後縁位置は凸形柄状に設計し、本考案操作時の利便性を図る。本考案使用時には、その金属弾性を利用し、該上圧リング1-2により該伸縮棒体1-1上を挟持し、こうして該上圧リング1-2と該プラスチック本体1-3は該糞便袋1-4を嵌合することができる。
該糞便袋1-4は一般のプラスチック袋、紙袋、分解可能プラスチック袋である。
【０００７】
本考案実施時には、本考案の上圧リング1-2を上方へと開き、該糞便袋1-4を下から上へと該プラスチック本体1-3の内圈に嵌入し、しかも該糞便袋1-4の辺縁を該プラスチック本体1-3の円周上において折り返し、該上圧リング1-2を下方へと押さえれば、該糞便袋1-4を該プラスチック本体1-3の辺縁上において固定することができる。
該糞便袋1-4を取外し糞便の処理を行う時には、該上圧リング1-2を開けば、該糞便袋1-4を取外すことができる。
該伸縮棒体1-1上には該懐中電灯クリップ1-7を設置し、懐中電灯1-6を該伸縮棒体1-1上に結合することができる。懐中電灯1-6は照明と警告表示の機能を備えるため、夜間に犬を散歩させる場合には便利である。
【０００８】
犬の散歩時に本考案を携帯し、犬の大便時に、本考案を犬の肛門下方に差し出し、その糞便を受ける。
該糞便袋1-4処理時には、該上圧リング1-2を上方へと開けば、該糞便袋1-4は該プラスチック本体1-3を離れ、便利に処理を行うことができる。こうして犬の飼い主は犬の糞便を地面に落とさず、環境を汚染する恐れがなくなる。
本考案構造は簡単で組み立ては容易である。
本考案は上記の実施方式以外に、該項技術の習熟者は、あらゆる変化と修飾を行うことができ、それらも本考案の実用新案登録請求の範囲に含まれるものとする。
本考案犬糞便処理器は最適な実用性と進歩性を備え、実用新案登録の要件に符合している。
【図面の簡単な説明】
【０００９】
【図１】本考案の立体図である。
【図２】本考案の分解図である。
【図３】本考案の組立て図である。
【図４】本考案の実施図である。
【符号の説明】
【００１０】
1-1  伸縮棒体
1-2  上圧リング
1-3  プラスチック本体
1-4  糞便袋
1-5  上圧リング結合フック
1-6  懐中電灯
1-7  懐中電灯クリップ
1-8  棒体結合螺合部品
【図１】
0003144110.tif 000003
【図２】
0003144110.tif 000004
【図３】
0003144110.tif 000005
【図４】
0003144110.tif 000006